(57)【要約】【課題】専門家でない一般の人が、色のルールに基づき、「自分に似合った色」を自分自身で又は家庭において的確に選択することが出来るようにするカラーコーディネイト支援ツールを提供すること。【解決手段】黄色人種である日本女性の髪の色を複数のグループに分け、各グループごとに作成された説明書３と、純色を環状に並べた色相環１と、前記色相環１の各色と無彩色の色例を直線状に並べた色彩図表２とを備え、前記説明書３は、前記色相環１と色彩図表２の使用方法を記載したものであるカラーコーディネイト支援ツール。【選択図】図１
2010128209.tif 000002
【特許請求の範囲】
【請求項１】
黄色人種である日本女性の髪の色を複数のグループに分け、各グループごとに作成された説明書と、純色を環状に並べた色相環と、前記色相環の各色と中性色（無彩色）の色例を直線状に並べた色彩図表とを備え、前記説明書は、前記色相環と色彩図表の使用方法を記載したものであることを特徴とするカラーコーディネイト支援ツール。
【請求項２】
前記複数のグループは第１〜４の４つの髪グループであり、
前記第１髪グループの髪の色は、黒であり、
前記第２髪グループの髪の色は、暗い茶色であり、
前記第３髪グループの髪の色は、オレンジ色が強い茶色であり、
前記第４髪グループの髪の色は、明るい茶色である請求項１記載のカラーコーディネイト支援ツール。
【請求項３】
前記色相環は、赤、赤オレンジ、オレンジ、黄オレンジ、黄、黄緑、緑、青緑、青、青紫、紫、赤紫がこの順序で時計回りに配置されている請求項１又は２記載のカラーコーディネイト支援ツール。
【請求項４】
前記色彩図表は、赤紫、赤（但し赤は、冷赤、暖赤の２色）、赤オレンジの第１色グループ、オレンジ、黄オレンジ、黄（但し黄は、暖黄、冷黄の２色）の第２色グループ、黄緑、緑、青緑の第３色グループ、青、青紫、紫の第４色グループ、及び、中性色（無彩色）の第５色グループにグループ分けされた色が、同一表面に配置され、
前記各グループにおいて、前記各色が前記の順序で上下方向に配置され、
前記各色は、Ｎｏ．１〜Ｎｏ．７の７種類の色例が横方向に配置され、Ｎｏ．４がその色の純色に近い色である請求項１〜３の何れか一つに記載のカラーコーディネイト支援ツール。
【請求項５】
前記説明書は、前記色相環と色彩図表による「中性色を組み合わせる方法」、「中性色とアクセントカラーを組み合わせる方法」、「同系色を組み合わせる方法」、「反対色を組み合わせる方法」、「上下をバランスさせる方法」、又は「顔を引き立てる方法」が記載されている請求項１〜４の何れか一つに記載のカラーコーディネイト支援ツール。
【発明の詳細な説明】
【技術分野】
【０００１】
本発明は、自分が好む色を自分自身で選択することが出来る髪の色による衣類カラーコーディネイト支援ツールに関する。
【背景技術】
【０００２】
化粧品、衣料品、靴等であるコーディネート用商品の選択、購入を支援してコーディネートを容易にするコーディネート支援システムとして、例えば、特許文献１に記載のものが公知である。
【０００３】
この特許文献１記載のコーディネート支援システムは、店舗内に設置された管理装置と、この管理装置と接続された複数の端末装置とからなり、端末装置はパソコンにより構成されていた。そして管理装置には、情報処理部とデータベースを備え、データベースには、店舗内で販売されている多種多様なコーディネート商品に係る商品情報が格納されている。
【０００４】
このコーディネート支援システムは、コーディネート対象者の顔の肌色、髪色、顔の造作、挙動特性に関するデータに基づいて印象タイプを判定し、判定した印象タイプに対応する商品情報等のコーディネート支援情報を提供するものであった。
【０００５】
また、コンピュータを用いないコーディネート支援システムとして、例えば、特許文献２に記載のものが公知である。
【０００６】
この特許文献２記載のものは、自分にあった自分の個性を引き出すメイクアップ化粧品の選択に際し用いられるメイクアップ化粧料用情報シートに関するものである。
【０００７】
このメイクアップ化粧料用情報シートにおいては、縦軸及び横軸のいずれかに化粧料の色調と色相とをそれぞれとった座標上に、異なる色を呈する複数の化粧料の各色を表示する色表示を上記化粧料の色調及び色相に対応する所定位置に分布表示するとともに、化粧料の色相をとった軸と同方向の軸に沿って、肌のベース色の色相を複数の系統に分類してそれぞれの系統と化粧料の色相との相関関係を表示する表示部を設けているため、顧客の肌のベース色の色相とともに、顧客の好みの化粧料の色調及び色相を把握した上で、座標上で合理的に肌のベース色の色相と化粧料の色相との相関関係を説明しながら化粧料の推奨を行うことができるものであった。
【特許文献１】特開２００６−２４２０３号公報
【特許文献２】実用新案登録第２５８６６５９号公報
【発明の開示】
【発明が解決しようとする課題】
【０００８】
前記従来の各技術は、何れも店舗で使用されるものであり、販売員が購買者に推奨するためのものであり、一般需要者の側における支援システムではなかった。即ち、コーディネータと呼ばれる専門家用のものであった。
【０００９】
一般需要者、特に女性においては、「自分に似合った色」を自分自身で選択したいという欲望が大変強く、販売員に勧められたものを素直に納得して購入する気になれないものである。
【００１０】
購入者は、「自分にあった色」が分からないため、コーディネータの薦めに素直に従え
ないものであった。
【００１１】
自分自身で「自分に似合った色」が分かるとオシャレが楽しくなる。店の中をチラリと見ただけで「自分の色」に直行でき、似合わない色を試着する無駄がなくなる。「自分に似合った色」が分かると衝動買いによる無駄が排除される。
【００１２】
そこで、本発明は、専門家でない一般の人が、色のルールに基づき、「自分に似合った色」を自分自身で又は家庭において的確に選択することが出来るようにするカラーコーディネイト支援ツールを提供することを目的とする。
【課題を解決するための手段】
【００１３】
前記目的を達成するため、本発明は、次の手段を講じた。即ち、本発明のカラーコーディネイト支援ツールの特徴とするところは、黄色人種である日本女性の髪の色を複数のグループに分け、各グループごとに作成された説明書と、純色を環状に並べた色相環と、前記色相環の各色と中性色（無彩色）の色例を直線状に並べた色彩図表とを備え、前記説明書は、前記色相環と色彩図表の使用方法を記載したものである点にある。
【００１４】
本願発明者は、ヘアースタイリストとして、長年にわたり様様な人種の女性に接してきた。その経験で気付いたことは、肌や髪の色が極端に明るかったり、暗かったりする人種は、服の色が選びやすいということである。北欧系の色白でブロンドの女性は、暗くて強い色を避ける。黒人の女性は原色を着ると生き生きとして見える。それでは日本女性(黄色人種）はどうか。
【００１５】
日本女性は一般的に似た肌の色を持っているが、髪の色は好みによって染め替えることが出来る。そこで、髪の色を変えることによって、髪が顔に与える印象が変わるということに気が付いた。そして、その印象によって、似合う衣類の色も変わるということに気が付いた。
【００１６】
日本女性(黄色人種）に対しては、髪の色を分類し、その髪の色に適した衣類のカラーコーディネートを行うことがもっとも合理的であることを見出したのである。
【００１７】
そして、各髪色の女性が色相環、色彩図表に基ずき、似合う色をどのように組合わせて着ればよいのかが分かるように説明書に記載したのである。
【００１８】
前記複数のグループは第１〜４の４つの髪グループであり、前記第１髪グループの髪の色は、黒であり、前記第２髪グループの髪の色は、暗い茶色であり、前記第３髪グループの髪の色は、オレンジが強い茶色であり、前記第４髪グループの髪の色は、明るい茶色であるのが好ましい。
【００１９】
前記色相環は、赤、赤オレンジ、オレンジ、黄オレンジ、黄、黄緑、緑、青緑、青、青紫、紫、赤紫がこの順序で時計回りに配置されているのが好ましい。
【００２０】
前記色彩図表は、赤紫、赤（但し赤は、冷赤、暖赤の２色）、赤オレンジの第１色グループ、オレンジ、黄オレンジ、黄（但し黄は、暖黄、冷黄の２色）の第２色グループ、黄緑、緑、青緑の第３色グループ、青、青紫、紫の第４色グループ、及び、中性色（無彩色）の第５色グループにグループ分けされた色が、同一表面に配置され、前記各グループにおいて、前記各色が前記の順序で上下方向に配置され、前記各色は、Ｎｏ．１〜Ｎｏ．７の７種類の色例が横方向に配置され、Ｎｏ．４がその色の純色に近い色であるのが好ましい。
【００２１】
前記説明書は、前記色相環と色彩図表による「中性色を組み合わせる方法」、「中性色とアクセントカラーを組み合わせる方法」、「同系色を組み合わせる方法」、「反対色を組み合わせる方法」、「上下をバランスさせる方法」、又は「顔を引き立てる方法」が記載されているのが好ましい。
【発明の効果】
【００２２】
本発明のカラーコーディネート支援ツールを用いれば、自分に似合う色を個性的に選択することが出来る。また、色のルールが分かり、ファッション誌等のアイデアも自分に適用することが出来るようになる。
【発明を実施するための最良の形態】
【００２３】
以下、本発明の実施の形態を図面に基づき説明する。
図１に示すように、本発明のカラーコーディネイト支援ツールは、純色を環状に並べた色相環１(図１（ａ）参照）と、前記色相環１の各色と無彩色の色例を直線状に並べた色彩図表２(図１（ｂ）参照）と、前記色相環１と色彩図表２の使用方法を記載した説明書３(図１（ｃ）参照）とを備えている。このカラーコーディネイト支援ツールの説明書３は、髪の色に基づき分類された複数のグループ毎に設けられている。色相環１と色彩図表２は、各グループ共通のものとされている。
【００２４】
なお、純色とは、各色相の極めて彩度の高い色をいう。色相とは、赤み、黄み、緑みなどといった色みをいう。
【００２５】
前記複数のグループは第１〜４の４つの髪グループに分けられている。
前記第１髪グループの髪の色は、黒である。前記第２髪グループの髪の色は、暗い茶色である。具体的には、こげ茶、暗い赤茶のハイライトである。前記第３髪グループの髪の色は、オレンジが強い茶色である。具体的には、赤茶(オレンジ系）、赤茶のハイライト(オレンジ系）である。前記第４髪グループの髪の色は、明るい茶色である。具体的には、栗毛色、明るい茶色、暗いブロンドのハイライトである。
【００２６】
なお、本発明は、黄色人種である日本人女性の髪の色に着目して四つのグループに分けたが、この四グループに分けるものに限定されるものではない。
【００２７】
表１に髪グループ名とヘアカラーをまとめた。
【００２８】
【表１】
2010128209.tif 000003
【００２９】
上記のヘアカラーは日本女性が髪を染める際に一般的に使われている色であるが、第一髪グループのヘアカラーが中性色（無彩色）であるのに対し、第２髪グループ、第３髪グループ、第４髪グループのヘアカラーはオレンジ系の色がベースカラー、つまり暖かい色であることを理解しなければならない。
【００３０】
これら４髪グループのヘアカラーが顔（日本人の顔の色は略共通である。）に与える印象と、その印象に適した衣類の色は表２のようになる。
【００３１】
【表２】
2010128209.tif 000004
【００３２】
ヘアカラーが顔に与える印象によって、各髪グループの女性が目指すべきトータルイメージが表３のように決まる。このトータルイメージは図６に「ねらい」として記載されている。
【００３３】
【表３】
2010128209.tif 000005
【００３４】
図２に示すものは、前記色相環１（「カラーウィール」と言う場合がある）の詳細図である。この色相環１は、色相を環状に並べたものである。色相環１は、赤、赤オレンジ、オレンジ、黄オレンジ、黄、黄緑、緑、青緑、青、青紫、紫、赤紫の純色がこの順序で、時計回りに、同心円状に、周方向等間隔に配置されている。各色は、白地用紙に描かれた黒縁円内に着色されている。そして相対抗する色、例えば、赤と緑は直線で結ばれ、補色関係が明瞭になるように構成されている。また各色の外周側には、その色の名称が、赤、赤オレンジ等と記載されている。この色相環１は、同系色とか反対色を知るためのものである。
【００３５】
この色相環１は、９．５ｃｍの正方形（厚み５ｍｍ）の軽量ボードの表面に印刷されている。この軽量ボードは、心材として発泡樹脂板材を用い、その表裏両面をシート材でサンドイッチ状にしたものである。この大きさとしたのは、ショッピングの際に携帯するのに便利のためである。しかしこの大きさに限定されるものではなく、単なる紙に印刷された物であっても良い。
【００３６】
なお、この実施の形態では、１２色の色相環１であるが、２４色等であっても良く、色の数は限定されない。この携帯用色相環は、４髪グループ共同である。
【００３７】
図２と図３に記載のように、色相環１の１２色は、赤と黄を境に「暖かい色」と「冷たい色」に分かれている。これは三原色の内、赤と黄が「暖かい色」、青が「冷たい色」で、この三色から色相環１の１２色が作られているからである。原色の赤は「暖かい色」であるが、それに極僅か青を混ぜると「冷たい赤」になる。これは混ぜる青の量が極少ないため、赤紫になりきれず「赤」のように見える色である。同様に、原色の黄も「暖かい色」だが、それに極わずか青を混ぜると「冷たい黄」になる。このような黄も青の量が少ないために黄緑になりきれずに黄色に見える。
【００３８】
このシステムにおいては「冷たい赤」と「冷たい黄」を暖かい色（暖かい赤、赤オレンジ、オレンジ、黄オレンジ、暖かい黄）と組合わせることは出来ない。このルールは髪の色にも及び、髪の色が暖かい色である第２髪グループ、第３髪グループ、第４髪グループの女性はカラーコーデイネートにおいて「冷たい赤」と「冷たい黄」を使うことが出来ない。
【００３９】
それに反し、第１髪グループの女性は髪の色が無彩色（黒）なので、「冷たい赤」、「冷たい黄」と「暖かい赤」、「暖かい黄」を使い分ける必要がある。つまり、「冷たい赤」と「冷たい黄」を使う場合は、それ等を暖かい色（暖かい赤、赤オレンジ、オレンジ、黄オレンジ、暖かい黄）と組合わせることは出来ないのである。
【００４０】
図４に示すものは、前記色彩図表２（「カラーチャート」と言う場合がある）の詳細図である。この色彩図表２は、前記色相環１における各色は、一色ではなく、「グループの色」として扱うためのものである。各グループには、明るい色、暗い色、純な色、濁った色など様々な色が属する。個々各種の色を色例という。
【００４１】
前記色彩図表２は、赤紫、赤（但し赤は、冷赤、暖赤の２色）、赤オレンジの第１色グループ４、オレンジ、黄オレンジ、黄（但し黄は、暖黄、冷黄の２色）の第２色グループ５、黄緑、緑、青緑の第３色グループ６、青、青紫、紫の第４色グループ７、及び、無彩色(中性色ともいう)の第５色グループ８にグループ分けされた色が、白地用紙の同一表面に配置されている。
【００４２】
前記各色グループにおいて、前記各色が前記の順序で上から下に配置され、前記各色は、Ｎｏ．１〜Ｎｏ．７の７種類の色調などの異なる色例９が横に配置され、Ｎｏ．４がその色の純色に近い色であり、一般的に、Ｎｏ．４からその左側に至るに従い（Ｎｏ．１側に至るに従い）明るい色になり、Ｎｏ．４からその右側に至るに従い（Ｎｏ．７側に至るに従い）暗い色になるように配置されている。赤と黄は、各「冷赤」と「暖赤」そして「暖黄」と「冷黄」に上下に分かれているが、色調の配置方法は他の色とおなじである。また、各色の色例９の左端には、その色の名称が、赤紫、冷赤、暖赤、赤オレンジ、‥‥中性色等と記載されている。
【００４３】
この色彩図表２は、衣類の色のベースカラーを見分ける際に使うものである。
例えば「青っぽい色」はそれが青グループの色であるのか、青緑グループ又は青紫グループの色であるのかを色彩図表２の色例９と見比べてはっきりさせる必要がある。それによって色相環１を的確に使って、同系色や反対色の組み合わせが出来るようになるからである。
【００４４】
又、従来ピンク、茶色、グレー等と呼ばれていた色も、同じようにこの色彩図表２を使って「冷赤グループのピンク」「オレンジグループの茶色」「青グループのグレー」などとそのベースカラーをはっきりさせれば、色相環１を効果的に使うことが出来るようになる。
【００４５】
又、色彩図表２の各色グループの色例９には、それぞれ明るい色、暗い色、純な色、濁った色、濃い色、薄い色等が記載されているので、例えばオレンジグループにおいて、濁った色、グレーっぽい色、暗い色等は、どのような色なのかが感性によって判断できるようになっている。
【００４６】
前記色彩図表２は、開いた状態で横１２２ｃｍ×縦４６ｃｍ×厚み５ｍｍの軽量ボードの表面に印刷されている。このボードは左右二箇所に縦方向の折り目があり、左右両側に
観音開きするもので、閉じた状態は横６１．５ｃｍである。前記色例９の一つの大きさは、横が２．５ｃｍ、縦が４ｃｍである。
【００４７】
この色彩図表２の軽量ボードは、前記色相環１の軽量ボードと同じものが使用されており、この軽量ボードは、心材として発泡樹脂板材を用い、その表裏両面をシート材でサンドイッチ状にしたものである。しかしこの大きさに限定されるものではなく、単なる紙に印刷された物であっても良い。
【００４８】
前記「折り目」は、裏側のシート材と心材とにスリットを形成して左右を分離し、表側のシート材は全面一枚ものとすることにより形成される。この折り目は、三枚のボードをヒンジ結合することによっても形成することが出来る。
【００４９】
左折り目の外側の下部に第１色グループ４が配置され、中央部に、第２,３色グループ５，６とその下部に第５色グループ８とが配置され、右折れ目の外側に第４色グループ７が配置されている。
【００５０】
また、中央部の上部に前記色相環１が印刷されている。左右の折り目の外側部分の上部に、説明書の要約１０が印刷されている。色彩図表は、折り目から閉じた状態で、印刷面は内側となる。
【００５１】
このような大きさにしたのは、色例９が見やすく、色合せをするのを容易にするためであるが、この大きさに限定されるものではない。
【００５２】
通常、色彩図表２は開いて平面状にして使用されるが、観音開きして、三面鏡のようにテーブル上に自立させることができ、または壁際に立てかけて使用することも出来る。
【００５３】
なお、色彩図表２は４髪グループ共、同じである。
なお、この実施の形態では、前記各色の色例９は、Ｎｏ．１〜Ｎｏ．７の７種類の色調などで配置したが、この数に限定されるものではない。各グループの色例９は、各グループの色の特徴を分かり易くしたものなので、実際はもっと明るい色、薄い色、グレーぽい色、暗い色等、多くの色が各色のグループには含まれている。
【００５４】
また、第１〜第５色グループに分けて配置したが、これに限定されるものではなく、グループ分けすることなく、配置しても良い。さらに縦横の列も、各色を横に並べ、その色の色例９を縦に並べても良い。
【００５５】
前記色相環１に示された各色には範囲があり、例えば青グループに属する色（図４参照）は青に見えて、他のグループの色と見分けることが出来るが、青緑側、青紫側の色も幾分含まれているので原色の青ではない。
【００５６】
ここで、各色の色例９の作り方の一般例は、純色、純色＋白、純色＋黒、濁った色（純色＋反対色）、濁った色＋白、濁った色＋黒、の配合により作られる。しかしこの配合に限定されるものではない。この色例９は、一般に見かける衣類の色のベースカラーが見分けやすいように作られている。
【００５７】
具体的には、表４〜表８に示すとおりである。各表に示す色記号は、マンセル値である。このマンセル値は、株式会社新紀元社２００６年１０月１９日２刷発行の「色名辞典」に印刷された色と、色彩図表２の色例９の色とを色合わせして決めたものである。従って、本発明においては、このマンセル値に一致するものに限定されるものではなく、その色に近い色であれば良い。
【００５８】
また、第５色グループ８の中性色は、無彩色であり、白から黒の明度が高いものから明度が低いものの色例が、７段階に配列されている。
【００５９】
【表４】
2010128209.tif 000006
【００６０】
【表５】
2010128209.tif 000007
【００６１】
【表６】
2010128209.tif 000008
【００６２】
【表７】
2010128209.tif 000009
【００６３】
【表８】
2010128209.tif 000010
【００６４】
図５、６は色彩図表２の左右に記載の要約１０の内容である。
図７〜図４６は、説明書３である。前記説明書３は前記色相環１、色彩図表２による「中性色を組み合わせる方法」、「中性色とアクセントカラーを組み合わせる方法」、「同系色を組み合わせる方法」、「反対色を組み合わせる方法」、「上下をバランスさせる方法」、「顔を引き立たせる方法」などが記載されている。
【００６５】
即ち、第１髪グループに対しての説明書は、次のように記載されている。
図７に記載の説明書第１頁は、「ヘアカラー」、「髪の色が顔に与えるイメージ」及び「ねらい」が記載されている。
【００６６】
図８に記載の説明書第２頁は、カラーウィール１とカラーチャート２の使用方法の概要が記載されている。また、色の組み合わせの４つの方法が列挙されている。なお、説明書中「同系色」とあるは、色相環１におけるある色とその左右２色の計５色の色を言い、また、「反対色」とあるのは、色相環１において、ある色が向かい合った色と、その左右２つの色の計５色をいう。
【００６７】
図９に記載の説明書第３頁は、中性色（無彩色）同士の組み合わせ方が記載されている。
【００６８】
図１０に記載の説明書第４頁は、中性色（無彩色）とアクセントカラーの組み合わせ方法が記載されている。アクセントカラーとは、有彩色のことをいう。すなわち、有彩色と無彩色の組み合わせ方法である。
【００６９】
図１１に記載の説明書第５頁は、同系色の組み合わせ方法が記載されている。
図１２に記載の説明書第６頁は、前記第５頁の続きの内容である。
【００７０】
図１３に記載の説明書第７頁は、反対色の組み合わせ方について記載されている。
図１４に記載の説明書第８頁は、前記第７頁の続きである。
【００７１】
図１５に記載の説明書第９頁は、上下のバランスについて記載されている。
図１６に記載の説明書第１０頁は、顔を引き立てるコツについて記載されている。
【００７２】
なお、各頁の構成は前記のものに限定されるものではない。
次に前記カラーコーデイネート支援ツールの使用方法を、各髪グループごとに、その概略、具体的使用例の順で説明する。
【００７３】
最初に第１髪グループについて説明する。その後、第２〜４髪グループについて説明するが、第１髪グループのものと重複する場合は、その部分を省略し、異なる内容のみ説明する。
【００７４】
以下、色相環１をカラーウイール、そして色彩図表２をカラーチャートと呼ぶ。
「第１髪グループの説明」
カラーウイール１（図１（a）及び図２参照）とカラーチャート２（図１（b）及び図４参照）と第１髪グループの説明書３（図１（c）及び図７〜１６参照）を入手する。
【００７５】
そして、カラーチャート１の左右上部に記載の要約（図５、６参照）と第１髪グループの説明書３（図７〜１６参照）を読む。
【００７６】
これによって、このシステムがどのようにしてカラーコーデイネートを行うかの「概要」が理解される。
【００７７】
即ち「概要」は次のとおりである。
（１）カラーウイール１（図１（a）（b）及び図２参照）は、同系色や反対色の組み合わせをする際に使う（図５参照）。
（２）カラーウイール１上の１２色と中性色（白、黒、グレー）は「グループの色」として扱う（図５参照）。
（３）上記１３グループの色例９がカラーチャート２に７色ずつ記載されているが、それ等は各グループの色の特徴を分かりやすくしたものなので、実際はもっと明るい色、薄い色、グレーっぽい色、暗い色等も含まれている（図５参照）。
（４）赤と黄グループの色例９は、それぞれ「冷色」と「暖色」に分かれているが、第１髪グループはその両方が使える。但し、「冷赤」と「冷黄」を使う場合は、それ等を暖かい色（暖赤、赤オレンジ、オレンジ、黄オレンジ、暖黄グループの色）と組み合わせることは出来ない（図８左参照）。
（５）中性色は、純白、ソフトホワイト、純黒、ソフトブラック、グレーを使う（図９〜１４参照）。
（６）チャート２の色例９を使って色のベースカラーを見分ける練習をする（図６参照）。
（７）カラーコーデイネートは「強くて、シャープなイメージ」をねらう。それは黒い髪が顔に「コントラストが極強いイメージ」を与えるからである（図７参照）。
（８）眉の色も黒っぽくはっきりさせる（図７参照）。
（９）衣類の色を組み合わせる際は、「ねらうイメージ」に適した色調を使う（図５参照）。
（１０）「強くてシャープなイメージ」をつくるには、極明、極暗、極薄、極濃、純な色
を組み合わせたり極暗い色だけを使って、肌の色とコントラストを付けることも出来る（図８右参照）。
（１１）色の組み合わせには、四つの方法がある（図８右参照）。
１．中性色どうしの組み合わせ（図９参照）
２．中性色とアクセントカラーの組み合わせ（図１０参照）
「中性色どうしの組み合わせ」にアクセントカラー「有彩色」を一色だけ加える。
３．同系色の組み合わせ
１）一グループ内の色を組み合わせる（図１１参照）。
【００７８】
２）一グループの色を一つ置いて隣（又は隣）のグループの色と組合わせる（図１１参照）。
４．反対色の組み合わせ
１）一グループの色を選び、それに向かい合った五グループの中の一つと組合わせる（図１３参照）。
【００７９】
２）一グループの色を選び、それに向かい合った五グループの中の外側二つ、又は内側二つと組合わせる（図１３参照）。
（１２）衣類を組み合わせる場合、「上下のバランス」も工夫しなければならない（図１５参照）。
（１３）ストッキングの色はその場合によって、肌色、スカートに似た色、靴に似た色、中性色を使う（図１５参照）。
（１４）「顔を引き立てるコツ」には四つの方法がある（図１６参照）。
【００８０】
１．襟ぐりを大きくとり、顔のまわりをスッキリさせる。
２．重ね着で、顔の近くに同系色、反対色などのコントラストを与える。
【００８１】
３．髪と服の色がブレンドしすぎる場合、髪をまとめる。
４．ネックレス、スカーフ等で顔の近くに色や形の面白さを与える。
【００８２】
以上が概要であるが、次に具体的に色を選択する手順につき説明する。
先ず最初に「中性色どうしの組み合わせ（図９参照）」について説明する。理解を容易にするためにＱアンドＡ方式で説明する。
【００８３】
Ｑ１：  第１髪グループの女性に適した中性色グループの色は、純白、ソフトホワイト、純黒、ソフトブラック、グレーであると記載されているので（図９参照）、純黒のスカートを購入した。中性色グループの色を使ってブラウスと靴を着合わせたいがどのような色がよいか？
Ａ１：  カラーチャート２の中性色グループの色例９を見る（図４参照）。７色の色例９以外の中性色グループに属する色も考慮する（概要（３）参照）。第１髪グループの「ねらい」は図６や図７によると、「強くてシャープなイメージ」を出すことである。そこで、この純黒のスカートを中性色グループの色とどのようにして組合わせれば「強くてシャープなイメージ」がでるかを考える（概要（１０）参照）。
【００８４】
図８を見れば、「強くてシャープなイメージ」をつくるために、その一例として極明るい色、極暗い色等を組合わせてコントラストをつけることが記載されている。そこでこの場合、純黒のスカート（中性色グループの色例９Ｎｏ．７の色）に極明るいグレー（中性色グループの色例９のＮｏ．３よりも更に明るいグレー）のブラウスを着合わせて強い明暗のコントラストを付けることにより、「ねらい」とする「強くてシャープなイメージ」を出すことが出来る。
【００８５】
靴の色は図９及び図１５を参照してカラーチャート２の中性色グループの色例９を見てＮｏ．７の純黒を選び明暗のコントラストを更に強める。
【００８６】
上半身の黒い髪と下半身の黒いスカート、靴で、上下のバランスがとられている（概要（１２）参照）。
【００８７】
Ｑ２：  第１髪グループの女性に適した中性色グループの色は、純白、ソフトホワイト、純黒、ソフトブラック、グレーであると記載されているので（図９参照）暗いグレーのテイーシャツを購入した。中性色のショートパンツと靴を着合わせたいが、どの色を選べばよいか？
Ａ２：  第１髪グループの「ねらい」の「強くてシャープなイメージ」（図７参照）を出すために、図８記載の「極暗い色だけを使って肌の色と明暗のコントラストを付ける」ことにする。即ち、衣類の色を暗くまとめて肌の色に強くてシャープなコントラストを付ける方法をとる（概要（１０）参照）。
【００８８】
カラーチャート２の中性色グループ（図４参照）の色例９を見る。その７色の色例９以外の中性色グループに属する色も考慮する（概要（３）参照）。この暗いグレーのテイーシャツは中性色グループの色例９のＮｏ．４に近い色なので、衣類の色を暗くまとめるためにショートパンツと靴は同グループのＮｏ．７（純黒）を着合わせて全体を暗くまとめ、腕や足の色と明暗のコントラストを強くとる。
【００８９】
上半身の黒い髪と下半身の黒いショートパンツ、靴で上下のバランスがとられている（概要（１２）参照）。
【００９０】
次に、「中性色とアクセントカラーの組み合わせ（図１０参照）」について説明する。
【００９１】
Ｑ１：  第１髪グループの女性は極端な色が似合うので（概要（１０）参照）、強い黄色のシャツを購入した。この色をアクセントカラーにして、中性色グループの色のパンツと靴で組合わせたいが、どの色を選べばよいか？
Ａ１：  第１髪グループの「ねらい」は「強くてシャープなイメージ」である（図７参照）。
【００９２】
中性色グループの色例９を見る（図４参照）。その７色の色例９以外の中性色グループに属する色も考慮する（概要（３）参照）。この強い黄色のシャツは暖黄グループの色例９のＮｏ．４に近い色なので、このシャツにどのようにして中性色グループの色を組合わせれば「強くてシャープなイメージ」が出るかを考える。図７を参照すれば、色の明暗、濃薄を強く付けることにより「強くてシャープなイメージ」を得ることが分かる。そこで、この強い黄色のシャツ（暖黄グループの色例９のＮｏ．４に近い色）に対して、色の濃薄のコントラストを強く付けるためには、中性色グループの色例９のＮｏ．１（純白）がよいことがカラーチャート２より判断できる。而して、強い黄色のシャツには純白のパンツを組合わせて色の濃薄のコントラストを強く付け、靴の色は純黒を選び、純白のパンツと明暗のコントラストを強く付ける（図１０参照）。
【００９３】
なお、上半身の黒い髪の色と下半身の黒い靴の色が上下にバランスしている（概要（１２）参照）。
【００９４】
Ｑ２：  第１髪グループの女性は極端な色が似合うので（概要（１０）参照）、極暗い赤紫のパンツを購入した。このパンツの色をアクセントカラーにして中性色グループの色で組合わせるには、ブラウス、靴、ショルダーバッグはどのような色を使えばよいか？
Ａ２：  第１髪グループの「ねらい」は「強くてシャープなイメージ」である（図７参
照）。中性色グループの色例９を見る（図４参照）。その７色の色例９以外の中性色グループに属する色も考慮する（概要（３）参照）。
【００９５】
極暗い赤紫のパンツは、赤紫グループの色例９のＮｏ．７に近い色なので、このパンツにどのようにして中性色グループの色を組合わせれば「強くてシャープなイメージ」が出るかを考える。図７を参照すれば色の明暗、濃薄を強く付けることにより「強くてシャープなイメージ」を得ることが分かる。そこで、この極暗い赤紫のパンツ（赤紫グループの色例９のＮｏ．７に近い色）に対して色の明暗のコントラストを強く付けるためには、中性色グループの色例９のＮｏ．１（純白）がよいことがカラーチャート２により判断できる。而して、極暗い赤紫のパンツに純白のブラウスを着合わせて強く明暗のコントラストを付ける。
【００９６】
靴の色は極暗い赤紫のパンツに明暗のコントラストを付けるために中性色グループの色例９のＮｏ．３よりも更に明るいグレーを選ぶ。
【００９７】
ショルダーバッグは肩にかけるので、純白のブラウスと強くコントラストするように純黒を使う。上半身の黒い髪と下半身の暗いパンツの色で、上下のバランスが取られている（概要（１２）参照）。
【００９８】
次に、「同系色の組み合わせ」について説明する（図１１、図１２参照）。
１）一グループ内の色を組み合わせた例（概要（１１）３．参照）：
Ｑ：  第１髪グループは極端な色が似合うので（概要（１０）及び図８参照）、明るく極薄い色の青いセーターを購入した。同系色で組み合わせるには、どのような色をスカート、ストッキング、靴、スカーフに使えばよいか？
Ａ：  まず、カラーチャート２（図４参照）の色例９を使い、セーターの「明るく極薄い色の青」が青グループ、青緑グループ、青紫グループの内のどれに属する色であるかを確認する（概要（６）参照）。この場合、まさしく「青」グループの色例９のＮｏ．２に近い色であった（図４参照）。
【００９９】
一グループ内の組み合わせなので、カラーチャート２の青グループの色例９を見る（図４参照）。又、中性色も必要に応じて使うことが出来るので、中性色グループの色も考慮する（概要（５）参照）。色例９以外の青グループの色、中性色グループの色も考慮する（概要（３）参照）。
【０１００】
これらの二グループの色をどのようにしてこのセーターと組み合わせれば「強くて、シャープなイメージ」をつくることが出来るかを考える（概要（１０）参照）。
【０１０１】
この場合、図１１に記載の「明暗のコントラスト」を付けることによりこの「ねらい」を達成することとする。カラーチャート２を見れば、青のＮｏ．２の色に対して明暗のコントラストが最も強いのは、中性色のＮｏ．７の純黒であることが分かる。
【０１０２】
明るく極薄い青のセーターに、純黒のスカートを組み合わせ、明暗のコントラストを強く出す。
【０１０３】
ストッキングの色は、「その場合によって、肌色、スカートに似た色、靴に似た色、中性色を使う。」（概要（１３）、図１５参照）とあるので、ストッキングと靴を同色にして、青のＮｏ．７の暗い青の色にする。
【０１０４】
上半身の黒い髪の色と下半身の暗い色のスカート、ストッキング、靴で上下のバランスがとられている（概要（１２）参照）。
【０１０５】
スカーフは強い青を使い、薄い青のセーターに色の濃薄のコントラストを与え、又  顔を引き立てている。（概要（１４）４．参照）なお、この暗い色、強い青、薄い青等の判断は、カラーチャート２の色列９により、自分の感性で判断することになる。
【０１０６】
２）一グループの色を一つ置いて隣（又は隣）のグループの色と組み合わせた例（概要（１１）３．参照）。
【０１０７】
Ｑ：  第１髪グループは極端な色が似合うので（概要（１０）参照）、純な赤のコートを購入した。これにセーター、パンツ、靴、マフラーを着合わせたいが、同系色で組み合わせるにはどのような色がよいか？
Ａ：  まず、「純な赤」が「冷赤」であるか「暖赤」であるかをカラーチャート２（図４参照）の色例９で確かめる（概要（６）参照）。
【０１０８】
この場合、コートは冷赤グループの色例９のＮｏ．４に近い色であった。
カラーウイール１またはカラーチャート２上のカラーウイールを見ると、「赤」の一つ置いて隣の色は「紫」と「オレンジ」である（概要（1）参照）。
【０１０９】
ところが、この場合「冷赤」であるので、オレンジグループの色とは組み合わせることが出来ないことが理解される（図８、概要（４）参照）。
【０１１０】
つまり、冷赤のコートを「冷赤グループの色」、「紫グループの色」、「中性色グループの色」と組み合わせることになる（概要（５）参照）。
【０１１１】
「冷赤グループ」、「紫グループ」、「中性色グループ」の色例９を見る。色例９以外にもこの三色グループに属する色があるので、それらの色も考慮する（概要（３）参照）。
【０１１２】
これらの色をどうやってこの赤いコートと組み合わせれば、「強くて、シャープなイメージ」が出るかを考える（概要（１０）参照）。図７を参照すれば、色の明暗、濃薄を強く付けることにより「強くてシャープなイメージ」を得ることが出来ることが分かる。
【０１１３】
この場合セーター、パンツ、靴をすべて暗い色にして、コートの強い赤とコントラストさせることに決める（図１１に記載の「‥色の明暗や濃薄のコントラストを強く付けて組み合わせましょう」の記載に基づく。）。
【０１１４】
セーターは純黒、パンツは暗い紫、靴は純黒を使う。
マフラーは、コートの純赤に映える色がよいので、この場合純白にして強いコントラストを出す。
【０１１５】
上記の組み合わせは、暗い色を下半身に使っているので、上半身の黒い髪の色と上下にバランスしている（概要（１２）参照）。
【０１１６】
純白のマフラーは、黒いセーターや純赤のコートの色とコントラストしているので、“顔を引き立てる”役割もしている。（概要（１４）４．参照）
次に、「反対色の組み合わせ」について説明する（図１３、図１４参照）。
【０１１７】
１）一グループの色を選び、それに向かい合った五グループの中の一つと組み合わせた例（概要（１１）４．参照）：
Ｑ：  第１髪グループは、極端な色が似合うので（概要（１０）参照）、「純な緑色」
のセーターを購入した。反対色を組み合わせるには、スカート、ストッキング、靴、コート、バッグに、どのような色を使えばよいか？
Ａ：  まず、セーターの「純な緑色」が緑グループ、黄緑グループ、青緑グループの内のどれに属する色であるかをカラーチャート２（図４参照）の色例９を使って確認する（概要（６）参照）。
【０１１８】
この場合、セーターの色は、まさしく緑グループの色であり、その色例９のＮｏ．４に近い色であった。
【０１１９】
カラーウイール１またはカラーチャート２上のカラーウイールを見る（概要（1）参照）。
【０１２０】
緑の反対色は、紫、赤紫、赤、赤オレンジ、オレンジであると理解する（概要（１１）４．参照）。
【０１２１】
この場合、「赤」を選ぶ。
「赤」には「冷赤」と「暖赤」がある（概要（４）参照）ので、「暖赤」を使うことに決める。
【０１２２】
従って、組み合わせは「緑グループ」、「暖赤グループ」、「中性色グループ」（概要（５）参照）の色を使って行う。
【０１２３】
カラーチャート２で上記三グループの色例９を見る。色例以外にもこの三色グループに属する色があるので、それらの色も考慮する（概要（３）参照）。
【０１２４】
これらの色をこの緑のセーターにどのように組み合わせれば「強くて、シャープなイメージ」が出るかを考える（概要（１０）参照）。図７を参照すれば色の明暗、濃薄を強く付けることにより「強くてシャープなイメージ」を得ることが分かる。
【０１２５】
この場合、純な緑（緑グループのＮｏ．４に近い色）のセーターには、ソフトホワイト（中性色のＮｏ．２の色）のスカートで色の濃薄を強く付けてコントラストをさせる。
【０１２６】
黒い髪の色と上下のバランスをとるために（概要（１２）参照）、この場合、ストッキングと靴をソフトブラック（中性色のＮｏ．６）にする。
【０１２７】
コートの色はセーターの「純な緑」とコントラストさせるために、暗い    暖赤（赤茶）（暖赤のＮｏ．６よりも暗い色）を選ぶ（概要（１０）参照）。
【０１２８】
バッグはコートの暗い赤茶に映える色がいいので、ソフトブラック（中性色グループのＮｏ．６の色）を使い、コートにコントラストを与える（概要（１０）参照）。
【０１２９】
２）一グループの色を選び、それに向かい合った五グループの中の外側二つ、又は、内側二つと組み合わせた例（概要（１１）４．参照）：
Ｑ：  第１髪グループは極端な色が似合うので（概要（１０）参照）、強い赤のブーツを購入した。反対色を使って、パンツ、セーター、ジャケットを組み合わせたいが、どのような色を使えばよいか？
Ａ：  まず、「赤いブーツ」とあるが、カラーチャート２の色例９（図４参照）でその「赤」が冷赤グループ、暖赤グループ、赤オレンジグループのうちどれに属する色であるかを確認する（概要（６）参照）。
【０１３０】
この場合、「赤オレンジグループ」に属する、強い赤オレンジであった（赤オレンジＮｏ．４に近い色）。
【０１３１】
カラーウイール１又はカラーチャート２上のカラーウイールを見る（概要（１）参照）。
【０１３２】
「赤オレンジ」の反対色は、それに向かい合った五色、青紫、青、青緑、緑、黄緑である（概要（１１）４．参照）が、この場合は、「内側の二つ」と組み合わせる。
【０１３３】
つまり、「青」、「青緑」、「緑」の内の二つである。
赤オレンジのブーツを「赤オレンジグループ」、「青グループ」、「青緑グループ」、「中性色グループ」（概要（５）参照）の色と組み合わせることに決める。
【０１３４】
カラーチャート２で上記四グループの色例９を見る。色例以外にもこの４色グループに属する色があるので、それらの色も考慮する（概要（３）参照）。
【０１３５】
この強い赤オレンジのブーツに、どのように色を組み合わせれば「強くて、シャープなイメージ」が出るかを考える（概要（１０）参照）。図７を参照すれば、色の明暗、濃薄を強く付けることにより「強くてシャープなイメージ」を得ることが分かる。
【０１３６】
この場合、強い赤オレンジのブーツ（赤オレンジＮｏ．４に近い色）には、極暗い青のパンツ（青Ｎｏ．７に近い色）を履いて、強いコントラストを付ける（概要（１０）参照）。
【０１３７】
セーターはソフトホワイトを使い、極暗い青のパンツに明暗のコントラストをつける（概要（１０）参照）。
【０１３８】
ジャケットの色は、セーターの白に映える色がよいので、濃い青緑（青緑グループのＮｏ．６に近い色）を使い、無彩色のセーターとコントラストをつける（概要（１０）参照）。
【０１３９】
この場合「上下のバランス」は、上半身の黒い髪の色と下半身の暗いパンツの色でとられている（概要（１２）参照）。
【０１４０】
次に「第２髪グループ」の場合について説明する。
カラーウイール１（図１（a）及び図２参照）、カラーチャート２（図１（b）及び図４参照）と第２髪グループの説明書３（図１（c）及び図１７〜図２６参照）を入手する。
【０１４１】
そして、カラーチャート２内部の左右上部にある説明書の要約１０（図５、６参照）と第２髪グループの説明書３（図１７〜図２６参照）を読む。
【０１４２】
これによって、このシステムがどのようにしてカラーコーデイネートを行うかの概要が理解される。
【０１４３】
第２髪グループの概容は、第１髪グループの概要と異なっている部分のみ説明する。
概要
（４）「冷赤」と「冷黄」グループの色は使えない（図１８参照）。
（５）中性色は、ソフトホワイト、ソフトブラック、グレーを使う（図１９〜図２４参照）。
（７）カラーコーデイネートは「強くて濃いイメージ」をねらう。それは、こげ茶の髪の
色が顔に「コントラストが強くて濃いイメージ」を与えるからである（図１７参照）。
（８）眉の色はこげ茶ではっきりさせる（図１７参照）。
（１０）「強くて濃いイメージ」をつくるには：
濃い色と明るい色、又は暗い色を組み合わせたり、濃くて暗い色に黒などを組み合わせて、肌の色と明暗のコントラストを付けることも出来る（図１８右参照）。
中性色どうしの組み合わせ（図１９参照）：
ソフトホワイト、ソフトブラック、グレーを使い、強いコントラストで組み合わせる。中性色とアクセントカラーの組み合わせ（図２０参照）：
中性色には、ソフトホワイト、ソフトブラック、グレーを使い、強いコントラストで組み合わせる。アクセントカラーは濃い色を使う（概要（１０）参照）。
同系色の組み合わせ（図２１、２２参照）：
中性色には、ソフトホワイト、ソフトブラック、グレーを使い、強いコントラストで組み合わせる。
反対色の組み合わせ（図２３、２４参照）：
中性色には、ソフトホワイト、ソフトブラック、グレーを使い、強いコントラストで組み合わせる。
【０１４４】
第２髪グループの具体的使用例は、第１髪グループのものとほぼ同じなのでその説明は省略する。第２髪グループの「ねらい」は「強くて濃いイメージ」（図１７参照）なので、衣類の色の組み合わせには必ず「濃い色」を組み入れる。（中性色どうしの組合わせの場合は例外である）。衣類の色は明暗、濃薄で強いコントラストを付けたり、濃くて暗い色に黒等の暗い色を組合わせて全体を暗くまとめ、肌の色と明暗のコントラストを付けることも出来る。第２髪グループは髪の色と顔の色のコントラストが第１髪グループほどに極端ではないので、第１髪グループ程の極端な明暗、濃薄のコントラストは付けないようにする。又、第２髪グループの女性は、冷赤、冷黄グループの色は避ける（図１８参照）。
第３髪グループ
カラーウイール１（図１（a）及び図２参照）、カラーチャート２（図１（b）及び図４参照）と第３髪グループの説明書３（図１（c）及び図２７〜図３６参照）を入手する。
【０１４５】
そして、カラーチャート２内部の左右上部にある説明書の要約１０（図５＆６参照）と第３髪グループの説明書３（図２７〜図３６参照）を読む。
【０１４６】
これによって、このシステムがどのようにしてカラーコーデイネートを行うかの概要が理解される。
【０１４７】
第３髪グループの概容は、第１髪グループの概要と異なっている部分のみ説明する。
概要
（４）「冷赤」と「冷黄」グループの色は使えない（図２８左参照）。
（５）中性色は使えない（図２８右参照）。
（７）カラーコーデイネートは「秋の色をブレンドしたイメージ」をねらう。それは、赤茶の髪の色が顔に「色素が強く暖かいイメージ」を与えるからである（図２７参照）。
（８）眉は短くカットして、赤茶系の色で形を整える（図２７参照）。
（１０）「秋の色をブレンドしたイメージ」をつくるには：
暖かい色（暖赤、赤オレンジ、オレンジ、黄オレンジ、暖黄グループの色）の何れかを必ず組み入れて、中性色（白、黒、グレー）や極明るい色、極暗い色、極さめた色（色素が極少ない色）を避ける（図２８参照）。
【０１４８】
色の明暗や濃薄のコントラストをマイルドにつけて組合わせる（図２９、図３２参照）。
（１１）色の組み合わせには、二つの方法がある（図２８参照）。
【０１４９】
１．同系色の組み合わせ：  暖かい色（暖赤、赤オレンジ、オレンジ、黄オレンジ、暖黄グループ）内で組合わせる。
【０１５０】
１）一グループ内の色を組合わせる（図２９参照）。
２）隣り合った三グループ内の色を組み合わせる（図２９参照）。
【０１５１】
２．反対色の組み合わせ：  必ず、暖かい色（暖赤、赤オレンジ、オレンジ、黄オレンジ、暖黄グループ）内の色を組み入れる。
【０１５２】
１）一グループの色を選び、それに向かい合った五グループの中の一つと組合わせる（図３２参照）。
【０１５３】
２）一グループの色を選び、それに向かい合った五グループの中の外側二つ、又は内側二つと組合わせる（図３２参照）。
（１３）ストッキングの色はその場合によって、肌色、スカートに似た色、靴に似た色を使う（図３５参照）。
【０１５４】
次に、同系色の組み合わせ（図２９〜図３１参照）について説明する。
１）一グループ内の色を組み合わせた例（概要（１１）１．参照）
Ｑ：  第３髪グループの女性は暖かい色が似合うので（図２８参照）、強いオレンジ色のミニドレスを購入した。同系色を使って、ストッキング、ブーツ、ブレスレットの色を決めたいがどの色がよいか？
Ａ：  まず、カラーチャートの色例９でドレスの「強いオレンジ色」がオレンジグループの色であるのか、又は黄オレンジグループの色であるのかを確認する（概要（６）参照）。
【０１５５】
この場合、オレンジグループの色例９Ｎｏ．４に近い色であった。
一グループ内の組み合わせなので、「オレンジグループ」の色例９を見る。（第３髪グループは、中性色グループの色は使えない（概要（５）参照））。７色の色例９以外のオレンジグループに属する色も考慮する（概要（３）参照）。
【０１５６】
オレンジグループの色をこのドレスとどのように組み合わせれば「秋の色をブレンドしたイメージ」になるかを考える（概要（１０）参照）。
【０１５７】
ブレンドするためには、色の明暗、強弱のコントラストをマイルドに付けなければならない（概要（１０）参照）。
【０１５８】
この場合、濃いオレンジのミニドレスには、同じ色のストッキングを履き、色を継続する。
【０１５９】
ブーツは暗いオレンジ（茶色）を使い、ドレスとストッキングに対してマイルドに明暗のコントラストを与える。
【０１６０】
ブレスレットの色は、強いオレンジのドレスに映えるように、明るくて薄いオレンジを使い、色の明暗、濃薄のコントラストを付ける。
【０１６１】
上半身の赤茶の髪の色と下半身の暗いブーツの色が上下にバランスしている（概要（１２）参照）。
【０１６２】
前記濃いオレンジ、暗いオレンジ、明るく薄いオレンジ、色の明暗当は、選択者の感性により色例９と色例以外のオレンジグループに属している色より選択する（概要（３）参照）。
【０１６３】
２）隣り合った三グループ内の色を組合わせた例（概要（１１）１．参照）
Ｑ：  第３髪グループの女性は暖かい色が似合うので（図２８参照）、パーテイー用にピンクのドレスを購入した。靴、イヤリング、小型バッグの色をドレスと同系色の組み合わせでまとめたいが、どのような色がよいか？
Ａ：  まず、カラーチャート２の色例９で、ドレスのベースカラーを確認する（概要（６）参照）。
【０１６４】
この場合、「ピンク」は「明るい暖赤グループ」の色であった。即ち、暖赤の色例のＮｏ．１に近い色であった。
【０１６５】
カラーウイール１上で、隣り合った三グループ     の色を組み合わせるので（概要（1）参照）、「暖赤」、「赤オレンジ」、「オレンジ」グループの色例９を見る。第３髪グループの同系色の組合わせは、暖かい色だけを使って行う（概要（１１）参照）。又、中性色グループの色は使えない（概要（５）参照）。
【０１６６】
ピンクのドレスをこの三グループの色と、どのように組合わせれば「秋の色をブレンドしたイメージ」になるかを考える（概要（１０）参照）。
【０１６７】
ブレンドするためには、色の明暗、強弱をマイルドに付けなければならない（概要（１０）参照）。
【０１６８】
この場合、暖赤グループのピンク（暖赤の色例のＮｏ．１に近い色）のドレスには、暗い赤オレンジグループの色（赤茶）（赤オレンジの色例９のＮｏ．５の赤茶色）の靴で、明暗のコントラストを付ける。
【０１６９】
イヤリングは強い暖赤（暖赤の色例９のＮｏ．４の色）を選び、顔を引き立てる（概要（１４）４．参照）。
【０１７０】
バッグの色は、明るいピンクのドレスに映える色がよいので、強い暖赤グループの色（暖赤の色例９のＮｏ．３の色）を使い、ドレスと色の濃薄のコントラストを付ける。
【０１７１】
赤茶の髪と暗いの靴の色で上下のバランスがとれている（概要（１２）参照）。
なお、強い暖赤等は、選択者の感性により、色例９と色例以外の暖赤、赤オレンジ、オレンジグループに属する色（概要（３）参照）より選択されるものである。
【０１７２】
次に、反対色の組み合わせ（図３２〜図３４参照）について説明する。
１）一グループの色を選び、それに向かい合った五グループの中の一つと組合わせた例（概要（１１）２．参照）
Ｑ：  明るい紫色のシャツと濃い黄色のショルダーバッグを持っているが、これらを組み入れて衣類のカラーコーデイネートをしたい。パンツと靴を組み合わせるには、どの色を使えばよいか？
Ａ：  カラーチャート２の色例９でシャツとバッグのベースカラーを確認する（概要（６）参照）。
【０１７３】
この場合、シャツは「紫グループ」、バッグは「暖黄グループ」の色であった。
カラーウイール１で「紫」と「暖黄」がどのように関係しているかを確かめる（概要（１）参照）。
【０１７４】
この二色は「反対色」の関係に位置していた。
二グループの組合わせなので、「紫グループ」と「暖黄グループ」の色例９を見る。色例９以外の紫グループと暖黄グループに属する色も考慮する（概要（３）参照）。中性色グループの色は使えない（概要（５）参照））。
【０１７５】
この明るい紫のシャツ（紫Ｎｏ．１に近い色）と濃い黄色のバッグ（暖黄Ｎｏ．４に近い色）をどのようにして「紫グループ」と「暖黄グループ」の色と組合わせれば「秋の色をブレンドしたイメージ」になるかを考える（概要（１０）参照）。
【０１７６】
ブレンドするためには、色の明暗、濃薄をマイルドに付けなければならない（概要（１０）参照）。又、図２８に記載されているように、暖かい色を必ず組み入れて、極明、極暗、極薄の色を避けるようにする。
【０１７７】
この場合、明るい紫のシャツ（紫Ｎｏ．１に近い色）に、暗い暖黄（暖黄Ｎｏ．７に近い茶色）のパンツを着合わせて明暗のコントラストをマイルドに付ける。
【０１７８】
靴は暖黄グループの明るい茶色（暖黄Ｎｏ．６に近い色）を使いパンツとコントラストを付ける。
【０１７９】
強い黄色のショルダーバッグは、明るい紫のシャツに色の濃薄のコントラストを与える。
【０１８０】
赤茶の髪の色と暗いパンツの色が上下にバランスしている。（概要（１２）参照）
２）一グループの色を選び、それに向かい合った五グループの中の外側二つ、又は内側二つと組み合わせた例（概要（１１）２．参照）
Ｑ：  紫色のストッキングが気に入った。明るい黄緑のセーターを持っているのだが、それと合うだろうか？合うとすれば、スカート、靴はどのような色がよいか？
Ａ：  カラーチャート２の色例９でストッキングとセーターのベースカラーを確認する（概要（６）参照）。
【０１８１】
この場合、やはり、ストッキングは「紫グループ」、セーターは「黄緑グループ」の色であった。
【０１８２】
カラーウイール１上で「紫」と「黄緑」がどのように関係しているかを確かめる。（概要（１）参照）
この二色は「反対色」の関係に位置していた。
【０１８３】
第３髪グループは、色の組み合わせの中に必ず「暖かい色」を組み入れなければならない（概要（１０）参照）。
【０１８４】
それで、この組み合わせに「黄オレンジ」を加えると反対色の内側ふたつとの組み合わせになる（概要（１１）２．参照）。
【０１８５】
「紫グループ」、「黄緑グループ」、「黄オレンジグループ」の色例９を見る。色例９以外の紫グループ、黄緑グループ、黄オレンジグループに属する色も考慮する（概要（３）参照）。中性色グループの色は使えない（概要（５）参照）。
【０１８６】
これら三グループの色をどのようにして紫のストッキングと黄緑のスカートに組み合わせれば「秋の色をブレンドしたイメージ」になるかを考える（概要（１０）参照）。
【０１８７】
ブレンドするためには、色の明暗、強弱をマイルドに付けなければならない（概要（１０）参照）。又、図２８に記載されているように、暖かい色を必ず組み入れて極明、極暗、極薄の色を避けるようにする。
【０１８８】
この場合、紫色のストッキング（紫Ｎｏ．２に近い色）には、多少暗めの黄オレンジ（黄オレンジＮｏ．５に近い色）のスカートを組み合わせ、明暗のコントラストを付ける。
【０１８９】
明るい黄緑のセーター（黄緑Ｎｏ．３に近い色）も、黄オレンジのスカーにマイルドなコントラストを付けている。
【０１９０】
「黄緑」、「黄オレンジ」、「紫」と、反対色をすでに三色使っているので、靴の色はストッキングと同じグループで暗い色（紫Ｎｏ．５）を使い色を継続する。
【０１９１】
赤茶の髪の色の暗さと下半身のストッキング、靴の色の暗さが上下にバランスしている（概要（１２）参照）。
第４髪グループ
カラーウイール１（図１（a）及び図２参照）、カラーチャート２（図１（b）及び図４参照）と第４髪グループの説明書３（図１（c）及び図３７〜図４６参照）を入手する。
【０１９２】
そして、カラーチャート２左右上部にある説明書の要約１０（図５、６参照）と第４髪グループの説明書３（図３７〜図４６参照）を読む。
【０１９３】
これによって、このシステムがどのようにしてカラーコーデイネートを行うかの概要が理解される。
【０１９４】
第４髪グループの概容は、第１グループの概要と異なっている部分のみ説明する。
概要
（４）「冷赤」と「冷黄」グループの色は使えない（図３８参照）。
（５）中性色は、ソフトホワイト、ソフトブラック、グレーを使う（図３９〜図４４参照）。
（６）カラーコーデイネートは「柔らかくてエレガントなイメージ」をねらう。それは、明るい茶色の髪のが顔に「柔らかくてエレガントなイメージ」を与えるからである（図３７参照）。
（７）眉の色はオレンジ系の色を避ける（図３７参照）。
（９）「柔らかくてエレガントなイメージ」をつくるには：  極端な色（極明、極暗、極純な色等）を避けて、色のコントラスト（明暗、濃薄）をマイルドに付けたり、暗めの色だけを使って肌の色と明暗のコントラストを付けることも出来る（図３８右参照）。
【０１９５】
中性色どうしの組み合わせ（図３９参照）：
ソフトホワイト、ソフトブラック、グレーを使い、柔らかいコントラストで組み合わせる。
【０１９６】
中性色とアクセントカラーの組み合わせ（図４０参照）：
中性色には、ソフトホワイト、ソフトブラック、グレーを使い、柔らかいコントラストで組み合わせる。
【０１９７】
同系色の組み合わせ（図４１、４２参照）：
中性色には、ソフトホワイト、ソフトブラック、グレーを使い、柔らかいコントラストで組み合わせる。
【０１９８】
反対色の組み合わせ（図４３、４４参照）：
中性色には、ソフトホワイト、ソフトブラック、グレーを使い、柔らかいコントラストで組み合わせる。
【０１９９】
第４髪グループの具体的使用例は、第１髪グループのものとほぼ同じなのでその説明は省略する。第４髪グループの「ねらい」は「柔らかくてエレガントなイメージ」であるので（図３７参照）、衣類の色は極端な色を避け、明暗、濃薄のコントラストを柔らかく付けたり、暗めの色だけを使って肌の色と明暗のコントラストを付けたりする（図３８参照）。又、冷赤、冷黄グループの色は使わない（概要（４）参照）。
【０２００】
なお、本発明は、前記実施の形態に限定されるものではない。例えば、色彩図表に色相環が描かれている場合、独立した色相環は省略でき必須のものではない。
【産業上の利用可能性】
【０２０１】
本発明はアパレル産業において利用可能である。
【図面の簡単な説明】
【０２０２】
【図１】本発明の実施の形態のカラーコーディネート支援ツールの構成図である。
【図２】本発明の支援ツールの構成要件である色相環の概略図である。
【図３】色には暖かい色と冷たい色があることの説明図である。
【図４】本発明の支援ツールの構成要件である色彩図表の概略図である。
【図５】色彩図表の左側に記載の要約の内容である。
【図６】色彩図表の右側に記載の要約の内容である。
【図７】本発明の支援ツールの構成要件である説明書の第１髪グループの第１頁の正面図である。
【図８】本発明の支援ツールの構成要件である説明書の第１髪グループの第２頁の正面図である。
【図９】本発明の支援ツールの構成要件である説明書の第１髪グループの第３頁の正面図である。
【図１０】本発明の支援ツールの構成要件である説明書の第１髪グループの第４頁の正面図である。
【図１１】本発明の支援ツールの構成要件である説明書の第１髪グループの第５頁の正面図である。
【図１２】本発明の支援ツールの構成要件である説明書の第１髪グループの第６頁の正面図である。
【図１３】本発明の支援ツールの構成要件である説明書の第１髪グループの第７頁の正面図である。
【図１４】本発明の支援ツールの構成要件である説明書の第１髪グループの第８頁の正面図である。
【図１５】本発明の支援ツールの構成要件である説明書の第１髪グループの第９頁の正面図である。
【図１６】本発明の支援ツールの構成要件である説明書の第１髪グループの第１０頁の正面図である。
【図１７】本発明の支援ツールの構成要件である説明書の第２髪グループの第１頁の正面図である。
【図１８】本発明の支援ツールの構成要件である説明書の第２髪グループの第２頁の正面図である。
【図１９】本発明の支援ツールの構成要件である説明書の第２髪グループの第３頁の正面図である。
【図２０】本発明の支援ツールの構成要件である説明書の第２髪グループの第４頁の正面図である。
【図２１】本発明の支援ツールの構成要件である説明書の第２髪グループの第５頁の正面図である。
【図２２】本発明の支援ツールの構成要件である説明書の第２髪グループの第６頁の正面図である。
【図２３】本発明の支援ツールの構成要件である説明書の第２髪グループの第７頁の正面図である。
【図２４】本発明の支援ツールの構成要件である説明書の第２髪グループの第８頁の正面図である。
【図２５】本発明の支援ツールの構成要件である説明書の第２髪グループの第９頁の正面図である。
【図２６】本発明の支援ツールの構成要件である説明書の第２髪グループの第１０頁の正面図である。
【図２７】本発明の支援ツールの構成要件である説明書の第３髪グループの第１頁の正面図である。
【図２８】本発明の支援ツールの構成要件である説明書の第３髪グループの第２頁の正面図である。
【図２９】本発明の支援ツールの構成要件である説明書の第３髪グループの第３頁の正面図である。
【図３０】本発明の支援ツールの構成要件である説明書の第３髪グループの第４頁の正面図である。
【図３１】本発明の支援ツールの構成要件である説明書の第３髪グループの第５頁の正面図である。
【図３２】本発明の支援ツールの構成要件である説明書の第３髪グループの第６頁の正面図である。
【図３３】本発明の支援ツールの構成要件である説明書の第３髪グループの第７頁の正面図である。
【図３４】本発明の支援ツールの構成要件である説明書の第３髪グループの第８頁の正面図である。
【図３５】本発明の支援ツールの構成要件である説明書の第３髪グループの第９頁の正面図である。
【図３６】本発明の支援ツールの構成要件である説明書の第３髪グループの第１０頁の正面図である。
【図３７】本発明の支援ツールの構成要件である説明書の第４髪グループの第１頁の正面図である。
【図３８】本発明の支援ツールの構成要件である説明書の第４髪グループの第２頁の正面図である。
【図３９】本発明の支援ツールの構成要件である説明書の第４髪グループの第３頁の正面図である。
【図４０】本発明の支援ツールの構成要件である説明書の第４髪グループの第４頁の正面図である。
【図４１】本発明の支援ツールの構成要件である説明書の第４髪グループの第５頁の正面図である。
【図４２】本発明の支援ツールの構成要件である説明書の第４髪グループの第６頁の正面図である。
【図４３】本発明の支援ツールの構成要件である説明書の第４髪グループの第７頁の正面図である。
【図４４】本発明の支援ツールの構成要件である説明書の第４髪グループの第８頁の正面図である。
【図４５】本発明の支援ツールの構成要件である説明書の第４髪グループの第９頁の正面図である。
【図４６】本発明の支援ツールの構成要件である説明書の第４髪グループの第１０頁の正面図である。
【符号の説明】
【０２０３】
１  色相環（カラーウイール）、  ２  色彩図表（カラーチャート）、  ３  説明書、
４  第１色グループ、  ５  第２色グループ、  ６  第３色グループ、７  第４色グループ、  ８  第５色グループ、  ９  色例  １０  説明書の要約。
【図１】
2010128209.tif 000011
【図２】
2010128209.tif 000012
【図３】
2010128209.tif 000013
【図４】
2010128209.tif 000014
【図５】
2010128209.tif 000015
【図６】
2010128209.tif 000016
【図７】
2010128209.tif 000017
【図８】
2010128209.tif 000018
【図９】
2010128209.tif 000019
【図１０】
2010128209.tif 000020
【図１１】
2010128209.tif 000021
【図１２】
2010128209.tif 000022
【図１３】
2010128209.tif 000023
【図１４】
2010128209.tif 000024
【図１５】
2010128209.tif 000025
【図１６】
2010128209.tif 000026
【図１７】
2010128209.tif 000027
【図１８】
2010128209.tif 000028
【図１９】
2010128209.tif 000029
【図２０】
2010128209.tif 000030
【図２１】
2010128209.tif 000031
【図２２】
2010128209.tif 000032
【図２３】
2010128209.tif 000033
【図２４】
2010128209.tif 000034
【図２５】
2010128209.tif 000035
【図２６】
2010128209.tif 000036
【図２７】
2010128209.tif 000037
【図２８】
2010128209.tif 000038
【図２９】
2010128209.tif 000039
【図３０】
2010128209.tif 000040
【図３１】
2010128209.tif 000041
【図３２】
2010128209.tif 000042
【図３３】
2010128209.tif 000043
【図３４】
2010128209.tif 000044
【図３５】
2010128209.tif 000045
【図３６】
2010128209.tif 000046
【図３７】
2010128209.tif 000047
【図３８】
2010128209.tif 000048
【図３９】
2010128209.tif 000049
【図４０】
2010128209.tif 000050
【図４１】
2010128209.tif 000051
【図４２】
2010128209.tif 000052
【図４３】
2010128209.tif 000053
【図４４】
2010128209.tif 000054
【図４５】
2010128209.tif 000055
【図４６】
2010128209.tif 000056